(57)【要約】【課題】アクティブマトリクス型の駆動方式に対応した発光パネルにおいて、駆動信号の波形なまりに起因する輝度ムラや画面のちらつきの発生を抑制することができる発光駆動装置、発光装置及びその駆動制御方法、並びに、該発光装置を備えた電子機器を提供する。【解決手段】各行の書込動作期間Ｔwrtには、第２信号電圧印加期間Ｔwh2と、第１信号電圧印加期間Ｔwh1とが設定されている。まず最初に、第２信号電圧印加期間Ｔwh2において、選択ラインＬｓに対して、Ｈｉ電圧２に基づく第２信号電圧Ｖsh2（例えば＋１８Ｖ）の選択信号Ｓselが印加される。次いで、第１信号電圧印加期間Ｔwh1において、選択ラインＬｓに対して、Ｈｉ電圧１に基づく第１信号電圧Ｖsh1（例えば＋１５Ｖ）の選択信号Ｓselが印加される。【選択図】図７
2011158864.tif 000002
【特許請求の範囲】
【請求項１】
発光素子と前記発光素子に供給する電流を制御する駆動トランジスタと該駆動トランジスタの動作を制御するスイッチングトランジスタとを有する発光駆動回路とを有し、前記スイッチングトランジスタに接続される走査線に接続され、該走査線の延在方向に沿って配列された複数の画素を駆動して、前記各画素の前記発光素子の発光を制御する発光駆動装置であって、
所定の信号印加期間に、前記走査線の一端に選択信号を印加して、前記各画素の前記スイッチングトランジスタを動作させる選択状態に設定する選択駆動回路を備え、
前記選択信号は、前記信号印加期間中の第１の期間に第１信号電圧に設定され、前記信号印加期間中の前記第１の期間に先立つ第２の期間に前記第１信号より高い電位を有する第２信号電圧に設定され、
前記第２の期間の時間及び前記第２信号電圧の電圧値は、前記選択信号が前記走査線の一端に印加されたときの、前記第１の期間の開始時点での、前記走査線の一端からの距離が最も短い位置にある第１の前記画素の近傍の前記走査線の電圧値からなる第１の電圧値と、前記走査線の一端からの距離が最も長い位置にある第２の前記画素の近傍の前記走査線の電圧値からなる第２の電圧値とが、許容範囲内の値となるように設定され、該許容範囲は前記第１信号電圧の電圧値の９５％乃至１１０％の値であることを特徴とする発光駆動装置。
【請求項２】
前記選択信号の電圧は動作電圧に対応して設定され、前記選択信号を前記第１信号電圧に設定するときに前記動作電圧を第１設定電圧に設定し、前記選択信号を前記第２信号電圧に設定するときに前記動作電圧を前記第１信号電圧より高い電位の第２設定電圧に切り替える電圧切替回路を備えることを特徴とする請求項１記載の発光駆動装置。
【請求項３】
前記走査線に接続されて、前記第１の電圧値及び前記第２の電圧値を計測する電圧計測回路を備えることを特徴とする請求項１又は２記載の発光駆動装置。
【請求項４】
前記第２信号電圧の電圧値は固定値に設定され、前記第２の期間の時間が可変値に設定されて、前記電圧計測回路によって計測される前記第１の電圧値と前記第２の電圧値の比較に基づいて、前記第２の期間の時間を設定する制御回路を備えることを特徴とする請求項３記載の発光駆動装置。
【請求項５】
前記第２の期間の時間及び前記第２信号電圧の電圧値が可変値に設定されて、前記電圧計測回路によって計測される前記第１の電圧値と前記第２の電圧値の比較に基づいて、前記第２の期間の時間及び前記第２信号電圧の電圧値を設定する制御回路を備えることを特徴とする請求項３記載の発光駆動装置。
【請求項６】
発光素子と前記発光素子に供給する電流を制御する駆動トランジスタと該駆動トランジスタの動作を制御するスイッチングトランジスタとを有する発光駆動回路とを有する複数の画素と、該複数の画素の前記スイッチングトランジスタに接続される複数の走査線と、を有し、前記各画素が前記各走査線の延在方向に沿って配列された発光パネルと、
前記発光パネルの、前記複数の画素の前記発光素子を駆動する発光駆動装置と、
を備え、
前記発光駆動装置は、画像データに基づく階調信号を前記各画素に書き込む書込動作期間に、前記各走査線の一端に選択信号を印加して、前記各画素の前記スイッチングトランジスタを動作させる選択状態に設定する選択駆動回路を備え、
前記選択信号は、前記書込動作期間中の第１の期間に第１信号電圧に設定され、前記書込動作期間中の前記第１の期間に先立つ第２の期間に前記第１信号電圧より高い電位の第２信号電圧に設定され、
前記第２の期間の時間及び前記第２信号電圧の電圧値は、前記選択信号が一つの前記走査線の一端に印加されたときの、前記第１の期間の開始時点での、当該走査線の一端からの距離が最も短い位置にある第１の前記画素の近傍の前記走査線の第１の電圧値と、前記走査線の一端からの距離が最も長い位置にある第２の前記画素の近傍の前記走査線の第２の電圧値とが、許容範囲内の値となるように設定され、該許容範囲は前記第１信号電圧の電圧値の９５％乃至１１０％の値であることを特徴とする発光装置。
【請求項７】
前記選択信号の電圧は動作電圧に対応して設定され、前記選択信号を前記第１信号電圧に設定するときに前記動作電圧を第１設定電圧に設定し、前記選択信号を前記第２信号電圧に設定するときに前記動作電圧を前記第１信号電圧より高い電位の第２設定電圧に切り替える電圧切替回路を備えることを特徴とする請求項６記載の発光装置。
【請求項８】
前記走査線に接続されて、前記第１の電圧値及び前記第２の電圧値を計測する電圧計測回路を備えることを特徴とする請求項６又は７記載の発光装置。
【請求項９】
前記第２信号電圧の電圧値は固定値に設定され、前記第２の期間の時間が可変値に設定されて、前記電圧計測回路によって計測される前記第１の電圧値と前記第２の電圧値の比較に基づいて、前記第２の期間の時間を設定する制御回路を備えることを特徴とする請求項８記載の発光装置。
【請求項１０】
前記第２の期間の時間及び前記第２信号電圧の電圧値が可変値に設定されて、前記電圧計測回路によって計測される前記第１の電圧値と前記第２の電圧値の比較に基づいて、前記第２の期間の時間及び前記第２信号電圧の電圧値を設定する制御回路を備えることを特徴とする請求項８記載の発光装置。
【請求項１１】
前記発光素子は、有機エレクトロルミネッセンス素子であることを特徴とする請求項６乃至１０のいずれかに記載の発光装置。
【請求項１２】
請求項６乃至１１のいずれかに記載の発光装置が実装されてなることを特徴とする電子機器。
【請求項１３】
発光素子と前記発光素子に供給する電流を制御する駆動トランジスタと該駆動トランジスタの動作を制御するスイッチングトランジスタとを有する発光駆動回路とを備える複数の画素と、該複数の画素の前記スイッチングトランジスタに接続される複数の走査線と、を有し、前記各画素が前記走査線の延在方向に沿って配列された発光パネルを備え、画像データに応じた輝度階調で前記複数の画素の前記発光素子を発光動作させる発光装置の駆動制御方法であって、
第１信号電圧の電圧値と、該第１信号電圧より高い電位の第２信号電圧の電圧値と、第２の期間の時間とを設定する設定ステップと、
前記画像データに基づく階調信号を、前記各画素に書き込む書込動作期間中の第１の期間に、前記各走査線の一端に、前記各画素の前記スイッチングトランジスタを動作させるための選択信号の電圧値を前記第１信号電圧に設定して印加する第１信号電圧印加ステップと、
前記書込動作期間中の前記第１の期間に先立つ前記第２の期間に、前記各走査線の一端に、前記選択信号の電圧値を前記第２信号電圧に設定して印加する第２信号電圧印加ステップと、
を含み、
前記設定ステップは、前記第２の期間の時間及び前記第２信号電圧の電圧値を、前記第２信号電圧ステップと前記第１信号電圧ステップとにより前記選択信号を一つの前記走査線の一端に印加したときの、前記第１の期間の開始時点での、当該走査線の一端からの距離が最も短い位置にある第１の前記画素の近傍の前記走査線の第１の電圧値と、前記走査線の一端からの距離が最も長い位置にある第２の前記画素の近傍の前記走査線の第２の電圧値とが、許容範囲内の値となるように設定し、該許容範囲は前記第１信号電圧の電圧値の９５％乃至１１０％の値であることを特徴とする発光装置の駆動制御方法。
【請求項１４】
前記設定ステップは、
前記第２の期間の時間を所定の初期値に設定する初期化ステップと、
前記選択信号を前記走査線の一端に印加する選択信号印加ステップと、
前記第１の電圧値と前記第２の電圧値とを計測する電圧計測ステップと、
計測した前記第１の電圧値及び前記第２の電圧値と前記第１信号電圧とを比較する電圧比較ステップと、
前記電圧比較ステップにおける比較結果に基づいて、前記第２の期間の時間を調整する印加時間調整ステップと、
前記電圧比較ステップにおいて、前記第１の電圧値及び前記第２の電圧値が前記許容範囲内の値となったときの前記第２の期間の時間を、前記第２信号電圧印加ステップにおける前記第２の期間の時間に設定する印加期間決定ステップと、
を含むことを特徴とする請求項１３記載の発光装置の駆動制御方法。
【請求項１５】
前記設定ステップは、
前記第２信号電圧の電圧値を所定の初期値に設定する電圧初期化ステップと、
前記第２の期間の時間を所定の初期値に設定する印加時間初期化ステップと、
前記選択信号を前記走査線の一端に印加する選択信号印加ステップと、
前記第１の電圧値と前記第２の電圧値とを計測する電圧計測ステップと、
計測した前記第１の電圧値及び前記第２の電圧値と前記第１信号電圧とを比較する電圧比較ステップと、
前記電圧比較ステップにおける比較結果に基づいて、前記第２の期間の時間を調整する印加時間調整ステップと、
前記第２の期間の時間が前記書込動作期間より短いか否かを判定する印加時間判定ステップと、
印加時間判定ステップにおける判定結果に基づいて、前記第２信号電圧の電圧値を調整する電圧値調整ステップと、
前記電圧比較ステップにおいて、前記第１の電圧値及び前記第２の電圧値が前記許容範囲内の値となったときの前記第２の期間の時間及び前記第２信号電圧の電圧値を、前記第２信号電圧印加ステップにおける前記第２の期間の時間と前記第２信号電圧の電圧値に設定する印加期間・電圧決定ステップと、
を含むことを特徴とする請求項１３記載の発光装置の駆動制御方法。
【発明の詳細な説明】
【技術分野】
【０００１】
本発明は、発光駆動装置、発光装置及びその駆動制御方法、並びに、電子機器に関し、特に、アクティブマトリックス型の駆動方式に対応した発光パネル（表示パネルを含む）を駆動するための発光駆動装置、該発光駆動装置を備えた発光装置及びその駆動制御方法、並びに、該発光装置を備えた電子機器に関する。
【背景技術】
【０００２】
近年、次世代の表示デバイスとして、有機エレクトロルミネッセンス素子（有機ＥＬ素子）等の自発光素子をマトリクス状に配列した表示パネルを備えた発光素子型の表示装置（発光装置）が注目されている。このような表示装置は、現在では携帯電話やデジタルオーティオプレーヤー、カーナビゲーション用モニター等の比較的小型の表示デバイスとして実用化されている。
【０００３】
ここで、発光素子型の表示装置においては、アクティブマトリクス型の駆動方式が広く採用されている。このような発光素子型の表示装置によれば、周知の液晶表示装置に比較して、表示応答速度が速く、また、視野角依存性もほとんどなく、さらに、高輝度・高コントラスト化や表示画質の高精細化が可能であるという優れた表示特性を有している。加えて、発光素子型の表示装置は、液晶表示装置のようにバックライトや導光板を必要としないので、装置構成をいっそう薄型軽量化できるという特長も有している。そのため、今後様々な電子機器への適用が期待されているとともに、表示画面の大型化に向けた研究開発が行われている。
【０００４】
アクティブマトリクス型の表示装置における駆動制御方法は、一般に、各行の表示画素を順次選択状態に設定し、当該選択タイミングに同期して、表示データに応じた階調電圧を印加（表示データを書込み）することにより、各表示画素に保持される電圧成分に基づいて階調制御が行われる。このような発光素子型の表示装置（例えば、有機ＥＬ表示装置）においては、例えば特許文献１や特許文献２に記載されているように、各画素に２個以上の複数の薄膜トランジスタからなる画素回路（発光駆動回路）が設けられている。
【先行技術文献】
【特許文献】
【０００５】
【特許文献１】特開平８−３３０６００号公報
【特許文献２】特開２００１−１４７６５９号公報
【発明の概要】
【発明が解決しようとする課題】
【０００６】
ところで、発光素子型の表示装置に限らず、周知の液晶表示装置においても、表示画面を大型化した際には、画素を駆動するドライバから画素までの配線長が長くなるため、当該配線長に応じて負荷の大きさが異なり、駆動信号の波形なまりや遅延が生じることが一般に知られている。ここで、液晶表示装置においては、各画素に設けられるスイッチング素子は通常薄膜トランジスタ（ＴＦＴ）が１個のみであるため、例えばゲートラインに生じる寄生容量（配線容量）は、比較的小さい。
【０００７】
これに対して、アクティブマトリクス型の駆動方式を採用した発光素子型の表示装置（例えば、有機ＥＬ表示装置）においては、上述した特許文献１や特許文献２にも記載されているように、各画素に複数の薄膜トランジスタが設けられているため、走査ライン（ゲートライン；後述する実施形態では「選択ライン」と記す）等の配線に生じる寄生容量が大きくなって、配線抵抗と寄生容量に基づく時定数に応じて、走査信号（ゲート信号；後述する実施形態では「選択信号」と記す）等の駆動信号に生じる波形なまりが顕著になるという問題を有していた。そのため、各画素の実質的な選択期間が互いに異なって、画面内に輝度ムラが生じたり、実質的な選択期間が相対的に短くなって、画像データの書き込み不足が生じて、画面のちらつきが生じたりする、という問題を有していた。
【０００８】
特に、大型の表示画面を有する表示装置において、倍速駆動（１２０Ｈｚ駆動）等の表示動作を行う場合に、このような駆動信号の波形なまりの影響がいっそう顕著になる傾向を有している。なお、有機ＥＬ表示装置における走査信号の波形なまりについては、後述する実施形態において、詳しく説明する。
【０００９】
そこで、本発明は、上述した問題点に鑑み、アクティブマトリクス型の駆動方式に対応した発光パネルにおいて、駆動信号の波形なまりに起因する輝度ムラや画面のちらつきの発生を抑制することができる発光駆動装置を提供し、以て、発光特性が良好かつ均一な発光装置及びその駆動制御方法、並びに、該発光装置を備えた電子機器を提供することを目的とする。
【課題を解決するための手段】
【００１０】
請求項１記載の発明は、発光素子と前記発光素子に供給する電流を制御する駆動トランジスタと該駆動トランジスタの動作を制御するスイッチングトランジスタとを有する発光駆動回路とを有し、前記スイッチングトランジスタに接続される走査線に接続され、該走査線の延在方向に沿って配列された複数の画素を駆動して、前記各画素の前記発光素子の発光を制御する発光駆動装置であって、所定の信号印加期間に、前記走査線の一端に選択信号を印加して、前記各画素の前記スイッチングトランジスタを動作させる選択状態に設定する選択駆動回路を備え、前記選択信号は、前記信号印加期間中の第１の期間に第１信号電圧に設定され、前記信号印加期間中の前記第１の期間に先立つ第２の期間に前記第１信号より高い電位を有する第２信号電圧に設定され、前記第２の期間の時間及び前記第２信号電圧の電圧値は、前記選択信号が前記走査線の一端に印加されたときの、前記第１の期間の開始時点での、前記走査線の一端からの距離が最も短い位置にある第１の前記画素の近傍の前記走査線の電圧値からなる第１の電圧値と、前記走査線の一端からの距離が最も長い位置にある第２の前記画素の近傍の前記走査線の電圧値からなる第２の電圧値とが、許容範囲内の値となるように設定され、該許容範囲は前記第１信号電圧の電圧値の９５％乃至１１０％の値であることを特徴とする。
【００１１】
請求項２記載の発明は、請求項１記載の発光駆動装置において、前記選択信号の電圧は動作電圧に対応して設定され、前記選択信号を前記第１信号電圧に設定するときに前記動作電圧を第１設定電圧に設定し、前記選択信号を前記第２信号電圧に設定するときに前記動作電圧を前記第１信号電圧より高い電位の第２設定電圧に切り替える電圧切替回路を備えることを特徴とする。
請求項３記載の発明は、請求項１又は２記載の発光駆動装置において、前記走査線に接続されて、前記第１の電圧値及び前記第２の電圧値を計測する電圧計測回路を備えることを特徴とする。
請求項４記載の発明は、請求項３記載の発光駆動装置において、前記第２信号電圧の電圧値は固定値に設定され、前記第２の期間の時間が可変値に設定されて、前記電圧計測回路によって計測される前記第１の電圧値と前記第２の電圧値の比較に基づいて、前記第２の期間の時間を設定する制御回路を備えることを特徴とする。
請求項５記載の発明は、請求項３記載の発光駆動装置において、前記第２の期間の時間及び前記第２信号電圧の電圧値が可変値に設定されて、前記電圧計測回路によって計測される前記第１の電圧値と前記第２の電圧値の比較に基づいて、前記第２の期間の時間及び前記第２信号電圧の電圧値を設定する制御回路を備えることを特徴とする。
【００１２】
請求項６記載の発明に係る発光装置は、発光素子と前記発光素子に供給する電流を制御する駆動トランジスタと該駆動トランジスタの動作を制御するスイッチングトランジスタとを有する発光駆動回路とを有する複数の画素と、該複数の画素の前記スイッチングトランジスタに接続される複数の走査線と、を有し、前記各画素が前記各走査線の延在方向に沿って配列された発光パネルと、前記発光パネルの、前記複数の画素の前記発光素子を駆動する発光駆動装置と、を備え、前記発光駆動装置は、画像データに基づく階調信号を前記各画素に書き込む書込動作期間に、前記各走査線の一端に選択信号を印加して、前記各画素の前記スイッチングトランジスタを動作させる選択状態に設定する選択駆動回路を備え、前記選択信号は、前記書込動作期間中の第１の期間に第１信号電圧に設定され、前記書込動作期間中の前記第１の期間に先立つ第２の期間に前記第１信号電圧より高い電位の第２信号電圧に設定され、前記第２の期間の時間及び前記第２信号電圧の電圧値は、前記選択信号が一つの前記走査線の一端に印加されたときの、前記第１の期間の開始時点での、当該走査線の一端からの距離が最も短い位置にある第１の前記画素の近傍の前記走査線の第１の電圧値と、前記走査線の一端からの距離が最も長い位置にある第２の前記画素の近傍の前記走査線の第２の電圧値とが、許容範囲内の値となるように設定され、該許容範囲は前記第１信号電圧の電圧値の９５％乃至１１０％の値であることを特徴とする。
【００１３】
請求項７記載の発明は、請求項６記載の発光装置において、前記選択信号の電圧は動作電圧に対応して設定され、前記選択信号を前記第１信号電圧に設定するときに前記動作電圧を第１設定電圧に設定し、前記選択信号を前記第２信号電圧に設定するときに前記動作電圧を前記第１信号電圧より高い電位の第２設定電圧に切り替える電圧切替回路を備えることを特徴とする。
請求項８記載の発明は、請求項６又は７記載の発光装置において、前記走査線に接続されて、前記第１の電圧値及び前記第２の電圧値を計測する電圧計測回路を備えることを特徴とする。
請求項９記載の発明は、請求項８記載の発光装置において、前記第２信号電圧の電圧値は固定値に設定され、前記第２の期間の時間が可変値に設定されて、前記電圧計測回路によって計測される前記第１の電圧値と前記第２の電圧値の比較に基づいて、前記第２の期間の時間を設定する制御回路を備えることを特徴とする。
請求項１０記載の発明は、請求項８記載の発光装置において、前記第２の期間の時間及び前記第２信号電圧の電圧値が可変値に設定されて、前記電圧計測回路によって計測される前記第１の電圧値と前記第２の電圧値の比較に基づいて、前記第２の期間の時間及び前記第２信号電圧の電圧値を設定する制御回路を備えることを特徴とする。
請求項１１記載の発明は、請求項６乃至１０のいずれかに記載の発光装置において、前記発光素子は、有機エレクトロルミネッセンス素子であることを特徴とする。
請求項１２記載の発明に係る電子機器は、請求項６乃至１１のいずれかに記載の発光装置が実装されてなることを特徴とする。
【００１４】
請求項１３記載の発明は、発光素子と前記発光素子に供給する電流を制御する駆動トランジスタと該駆動トランジスタの動作を制御するスイッチングトランジスタとを有する発光駆動回路とを備える複数の画素と、該複数の画素の前記スイッチングトランジスタに接続される複数の走査線と、を有し、前記各画素が前記走査線の延在方向に沿って配列された発光パネルを備え、画像データに応じた輝度階調で前記複数の画素の前記発光素子を発光動作させる発光装置の駆動制御方法であって、第１信号電圧の電圧値と、該第１信号電圧より高い電位の第２信号電圧の電圧値と、第２の期間の時間とを設定する設定ステップと、前記画像データに基づく階調信号を、前記各画素に書き込む書込動作期間中の第１の期間に、前記各走査線の一端に、前記各画素の前記スイッチングトランジスタを動作させるための選択信号の電圧値を前記第１信号電圧に設定して印加する第１信号電圧印加ステップと、前記書込動作期間中の前記第１の期間に先立つ前記第２の期間に、前記各走査線の一端に、前記選択信号の電圧値を前記第２信号電圧に設定して印加する第２信号電圧印加ステップと、を含み、前記設定ステップは、前記第２の期間の時間及び前記第２信号電圧の電圧値を、前記第２信号電圧ステップと前記第１信号電圧ステップとにより前記選択信号を一つの前記走査線の一端に印加したときの、前記第１の期間の開始時点での、当該走査線の一端からの距離が最も短い位置にある第１の前記画素の近傍の前記走査線の第１の電圧値と、前記走査線の一端からの距離が最も長い位置にある第２の前記画素の近傍の前記走査線の第２の電圧値とが、許容範囲内の値となるように設定し、該許容範囲は前記第１信号電圧の電圧値の９５％乃至１１０％の値であることを特徴とする。
【００１５】
請求項１４記載の発明は、請求項１３記載の発光装置の駆動制御方法において、前記設定ステップは、前記第２の期間の時間を所定の初期値に設定する初期化ステップと、前記選択信号を前記走査線の一端に印加する選択信号印加ステップと、前記第１の電圧値と前記第２の電圧値とを計測する電圧計測ステップと、計測した前記第１の電圧値及び前記第２の電圧値と前記第１信号電圧とを比較する電圧比較ステップと、前記電圧比較ステップにおける比較結果に基づいて、前記第２の期間の時間を調整する印加時間調整ステップと、前記電圧比較ステップにおいて、前記第１の電圧値及び前記第２の電圧値が前記許容範囲内の値となったときの前記第２の期間の時間を、前記第２信号電圧印加ステップにおける前記第２の期間の時間に設定する印加期間決定ステップと、を含むことを特徴とする。
請求項１５記載の発明は、請求項１３記載の発光装置の駆動制御方法において、前記設定ステップは、前記第２信号電圧の電圧値を所定の初期値に設定する電圧初期化ステップと、前記第２の期間の時間を所定の初期値に設定する印加時間初期化ステップと、前記選択信号を前記走査線の一端に印加する選択信号印加ステップと、前記第１の電圧値と前記第２の電圧値とを計測する電圧計測ステップと、計測した前記第１の電圧値及び前記第２の電圧値と前記第１信号電圧とを比較する電圧比較ステップと、前記電圧比較ステップにおける比較結果に基づいて、前記第２の期間の時間を調整する印加時間調整ステップと、前記第２の期間の時間が前記書込動作期間より短いか否かを判定する印加時間判定ステップと、印加時間判定ステップにおける判定結果に基づいて、前記第２信号電圧の電圧値を調整する電圧値調整ステップと、前記電圧比較ステップにおいて、前記第１の電圧値及び前記第２の電圧値が前記許容範囲内の値となったときの前記第２の期間の時間及び前記第２信号電圧の電圧値を、前記第２信号電圧印加ステップにおける前記第２の期間の時間と前記第２信号電圧の電圧値に設定する印加期間・電圧決定ステップと、を含むことを特徴とする。
【発明の効果】
【００１６】
本発明によれば、アクティブマトリクス型の駆動方式に対応した発光パネルにおいて、駆動信号の波形なまりに起因する輝度ムラや画面のちらつきの発生を抑制することができる。
【図面の簡単な説明】
【００１７】
【図１】本発明に係る発光装置を適用した表示装置の一例を示す概略ブロック図である。
【図２】第１の実施形態に係る表示装置に適用される表示パネル及びその周辺回路の一例を示す要部構成図である。
【図３】第１の実施形態に係る表示装置に適用される選択ドライバを含む電圧値設定機構の構成例を示す概略図である。
【図４】第１の実施形態に係る表示装置に適用されるデータドライバの構成例を示す概略図である。
【図５】第１の実施形態に係る表示パネルに適用される画素の一例を示す回路構成図である。
【図６】第１の実施形態に係る表示装置に適用される表示画素における基本動作を示すタイミングチャートである。
【図７】第１の実施形態に係る表示装置に適用される選択ドライバにおける選択信号の電圧値設定動作を示すタイミングチャートである。
【図８】第１の実施形態に係る表示画素における書込動作及び発光動作を示す概念図である。
【図９】第１の実施形態の比較対象にとなる表示装置の駆動制御方法の一例を示すタイミングチャートである。
【図１０】比較対象となる駆動制御方法を適用した場合の選択ライン電圧の変化を示す図である。
【図１１】第１の実施形態に係る駆動制御方法を適用した場合の選択ライン電圧の変化を示す図である。
【図１２】第１の実施形態に係る表示装置に適用される選択ライン電圧の計測機構を示す概略構成図である。
【図１３】第１の実施形態に係る表示装置に適用される第２信号電圧印加期間の設定方法の一例を示すフローチャートである。
【図１４】第２の実施形態に係る表示装置の一例を示す概略ブロック図である。
【図１５】第２の実施形態に係る表示装置に適用される選択ドライバにおける選択信号の電圧値設定動作を示すタイミングチャートである。
【図１６】第３の実施形態に係る表示装置の構成例を示す概略ブロック図（その１）である。
【図１７】第３の実施形態に係る表示装置の構成例を示す概略ブロック図（その２）である。
【図１８】第３の実施形態に係る表示装置に適用される選択・データ１チップドライバの選択ドライバ機能部を含む電圧値設定機構の構成例を示す概略図である。
【図１９】第３の実施形態に係る表示装置に適用される第２信号電圧印加期間及びその電圧の設定方法の一例を示すフローチャートである。
【図２０】第３の実施形態に係る駆動制御方法により設定される選択信号を説明するための波形図である。
【図２１】第１乃至第３の実施形態に係る表示装置（発光装置）を適用した薄型テレビジョンの構成例を示す斜視図である。
【発明を実施するための形態】
【００１８】
以下、本発明に係る発光駆動装置、発光装置及びその駆動制御方法、並びに、電子機器について、実施の形態を示して詳しく説明する。
＜第１の実施形態＞
まず、本発明に係る発光駆動装置を備えた発光装置の概略構成について、図面を参照して説明する。ここでは、本発明に係る発光装置を表示装置として適用した場合について説明する。
【００１９】
（表示装置）
図１は、本発明に係る発光装置を適用した表示装置の一例を示す概略ブロック図であり、図２は、第１の実施形態に係る表示装置に適用される表示パネル及びその周辺回路の一例を示す要部構成図である。また、図３は、本実施形態に係る表示装置に適用される選択ドライバを含む電圧値設定機構の構成例を示す概略図である。
【００２０】
図１、図２に示すように、本実施形態に係る表示装置（発光装置）１００は、概略、表示パネル（発光パネル）１１０と、選択ドライバ（選択駆動回路）１２０と、電源ドライバ（電源駆動回路）１３０と、データドライバ（信号駆動回路）１４０と、コントローラ（制御回路）１５０と、を備えている。ここで、選択ドライバ１２０と電源ドライバ１３０とデータドライバ１４０とコントローラ１５０は、本発明における発光駆動装置に対応する。
【００２１】
表示パネル１１０は、図１、図２に示すように、パネル基板上に、複数の画素ＰＩＸと、各画素ＰＩＸに接続された複数の選択ライン（走査線）Ｌｓ、複数の電源ラインＬａ、複数のデータライン（信号線）Ｌｄ及び共通電極Ｅｃと、を有している。複数の画素ＰＩＸは、パネル基板上に行方向（図面左右方向）及び列方向（図面上下方向）に２次元配列（例えばｎ行×ｍ列；ｎ、ｍは正の整数）されている。各画素ＰＩＸは、後述するように、発光駆動回路と発光素子とを有している。また、複数の選択ラインＬｓ及び複数の電源ラインＬａは、各々、パネル基板の行方向に配列された画素ＰＩＸに、行ごとに接続するように配設されている。複数のデータラインＬｄは、パネル基板の列方向に配列された画素ＰＩＸに、列ごとに接続するように配設されている。共通電極Ｅｃは、全画素ＰＩＸに共通に接続するように設けられている。
【００２２】
選択ドライバ１２０は、上記の表示パネル１１０に配設された各選択ラインＬｓに接続されている。選択ドライバ１２０は、後述するコントローラ１５０から供給される選択制御信号に基づいて、各行の選択ラインＬｓに所定のタイミングで所定の電圧レベル（選択レベル又は非選択レベル）の選択信号Ｓselを印加することにより、各行の画素ＰＩＸを選択状態に設定する。具体的には、選択ドライバ１２０は、各行の選択ラインＬｓに対して選択信号Ｓselを所定のタイミングで順次ずらして印加することにより、表示パネル１１０に配列された各行の画素ＰＩＸを順次選択状態に設定する。
【００２３】
選択ドライバ１２０は、例えば図２に示すように、コントローラ１５０から供給される選択制御信号（走査クロック信号ＳＣＫ、走査スタート信号ＳＳＴ）に基づいて、各行の選択ラインＬｓに対応するシフト信号を順次出力するシフトレジスタ１２１と、該シフト信号を所定の信号レベル（選択レベル；ハイレベル）に変換して、コントローラ１５０から供給される選択制御信号（出力イネーブル信号ＳＯＥ）に基づいて、各行の選択ラインＬｓに選択信号Ｓselとして順次出力する出力回路１２２と、を備えている。
【００２４】
ここで、本実施形態に係る選択ドライバ１２０は、選択ラインＬｓに出力する選択信号Ｓselの選択レベル（ハイレベル）として、異なる電圧値を設定することができるように構成されている。具体的には、上述した出力回路１２２において、シフト信号の信号レベルを変換する際に用いられるハイレベル側の動作電圧（レベル変換電圧）として、異なる電圧値（便宜的に、「Ｈｉ電圧１（第１設定電圧）」、「Ｈｉ電圧２（第２設定電圧）」とする）を選択的に設定する（切り替え設定する）。これにより、選択ラインＬｓに出力される選択レベルの選択信号Ｓselの電圧が、任意のタイミングで上記Ｈｉ電圧１に基づく第１信号電圧Ｖsh1、又は、Ｈｉ電圧２に基づく第２信号電圧Ｖsh2に切り替えられる。
【００２５】
このような選択信号Ｓselの電圧切り替え機能を実現するために、選択ドライバ１２０は、例えば図３（ａ）、（ｂ）に示すような構成（電圧値設定機構）を有している。図３（ａ）に示す電圧値設定機構は、選択ドライバ１２０（具体的には、出力回路１２２）に供給されるハイレベル側の動作電圧（Ｈｉ電圧；図中「Ｈｉ電源」と表記）を切り替え設定するためのスイッチ（電圧切替回路）１６１を備えている。スイッチ１６１は、Ｈｉ電源１（Ｈｉ電圧１；例えば＋１５Ｖ）及びＨｉ電源２（Ｈｉ電圧２；例えば＋１８Ｖ）に接続され、コントローラ１５０から供給される選択制御信号の一種であるスイッチ制御信号により、Ｈｉ電源１又はＨｉ電源２のいずれかをＨｉ電源として選択ドライバ１２０に接続するように切り替え制御される。なお、選択ドライバ１２０には、Ｌｏ電源が接続され、ローレベル側の動作電圧として常時Ｌｏ電圧（例えば−１５Ｖ）が供給されている。
【００２６】
また、電圧値設定機構は、図３（ｂ）に示すような構成を適用することもできる。図３（ｂ）に示す電圧値設定機構は、図３（ａ）に示したスイッチ１６１が選択ドライバ１２０の内部にスイッチ（電圧切替回路）１６２として設けられた構成を有している。すなわち、選択ドライバ１２０には、Ｈｉ電源１及びＨｉ電源２が接続され、ハイレベル側の動作電圧としてＨｉ電圧１（例えば＋１５Ｖ）及びＨｉ電圧２（例えば＋１８Ｖ）が供給されている。そして、コントローラ１５０から供給されるスイッチ制御信号によりスイッチ１６２を切り替え制御して、Ｈｉ電圧１又はＨｉ電圧２のいずれかをハイレベル側の動作電圧（図中「内部Ｈｉ電源」と表記）として利用する。
【００２７】
このような構成を有する電圧値設定機構により、後述する表示駆動動作（駆動制御方法）において、各行の画素ＰＩＸを選択状態に設定して画像データに応じた階調信号（階調電圧Ｖdata）を書き込む書込動作期間に、コントローラ１５０からの選択制御信号（スイッチ制御信号）に基づいて、選択ドライバ１２０が、まず通常（設計値）よりも高い電位の第２信号電圧Ｖsh2（例えば＋１８Ｖ）の選択信号Ｓselを選択ラインＬｓに印加し、次いで通常の第１信号電圧Ｖsh1（例えば＋１５Ｖ）の選択信号Ｓselを印加する。
【００２８】
電源ドライバ１３０は、表示パネル１１０に配設された各電源ラインＬａに接続されている。電源ドライバ１３０は、後述するコントローラ１５０から供給される電源制御信号に基づいて、各行の電源ラインＬａに所定のタイミングで所定の電圧値（発光レベル又は非発光レベル）の電源電圧Ｖsaを印加する。具体的には、電源ドライバ１３０は、後述する表示駆動動作（駆動制御方法）において、発光動作時（発光動作期間）のみ、各行の画素ＰＩＸの電源ラインＬａに対して、ハイレベルの電源電圧Ｖsaを印加する。一方、電源ドライバ１３０は、各行の画素ＰＩＸへの書込動作期間を含む非発光動作時には、各行の画素ＰＩＸの電源ラインＬａに対して、ローレベルの電源電圧Ｖsaを印加する。
【００２９】
データドライバ１４０は、表示パネル１１０の各データラインＬｄに接続され、後述するコントローラ１５０から供給されるデータ制御信号に基づいて、画像データに応じた階調信号（階調電圧Ｖdata）を生成して、各データラインＬｄを介して画素ＰＩＸへ供給する。
【００３０】
図４は、本実施形態に係る表示装置に適用されるデータドライバの構成例を示す概略図である。なお、図４に示すデータドライバの構成については、表示データに応じた電圧値の階調電圧Ｖdataを生成することができる一例を示したものに過ぎず、本発明はこれに限定されるものではない。
【００３１】
データドライバ１４０は、例えば図４に示すように、シフトレジスタ回路１４１と、データレジスタ回路１４２と、データラッチ回路１４３と、デジタル−アナログ変換回路（図中、「Ｄ／Ａコンバータ」と表記）１４４と、バッファ回路１４５と、を備えている。
【００３２】
シフトレジスタ回路１４１は、コントローラ１５０から供給されるデータ制御信号（シフトクロック信号ＣＬＫ、サンプリングスタート信号ＳＴＲ）に基づいて、順次シフト信号を生成、出力する。データレジスタ回路１４２は、該シフト信号の入力タイミングに基づいて、コントローラ１５０から供給される１行分の表示データＤ０〜Ｄｍを順次取り込む。データラッチ回路１４３は、データ制御信号（データラッチ信号ＳＴＢ）に基づいて、データレジスタ回路１４２により取り込まれた１行分のデジタルデータからなる表示データＤ０〜Ｄｍを保持する。Ｄ／Ａコンバータ１４４は、図示を省略した電源供給手段から供給される階調基準電圧Ｖ０〜ＶＰに基づいて、上記保持された表示データＤ０〜Ｄｍを、所定のアナログ信号電圧（階調電圧Ｖpix）に変換する。バッファ回路１４５は、階調電圧Ｖpixに対応する階調電圧Ｖdataを生成する。そして、バッファ回路１４５は、コントローラ１５０から供給されるデータ制御信号（出力イネ−ブル信号ＯＥ）に基づくタイミングで、当該表示データに対応する列のデータラインＬｄに階調電圧Ｖdataを一斉に出力する。
【００３３】
コントローラ１５０は、表示装置１００の外部から供給される画像データに基づいて、輝度階調データを含むデジタルデータからなる表示データを生成してデータドライバ１４０に供給する。また、コントローラ１５０は、画像データに基づいて生成又は抽出されるタイミング信号に基づいて、上述した選択ドライバ１２０及び電源ドライバ１３０、データドライバ１４０の動作状態を制御して、表示パネル１１０における所定の駆動制御動作を実行するための選択制御信号及び電源制御信号、データ制御信号を生成して出力する。
【００３４】
加えて、本実施形態に係るコントローラ１５０においては、上述した選択ドライバ１２０（厳密には、スイッチ１６１又は１６２を含む電圧値設定機構）に対して、スイッチ制御信号を含む選択制御信号を供給することにより、画像データに応じた階調信号（階調電圧Ｖdata）を書き込む書込動作期間に、選択ドライバ１２０から選択ラインＬｓに印加される選択信号Ｓselの電圧を所定のタイミングで切り替えるように制御する。具体的には、コントローラ１５０は、選択ラインＬｓの寄生容量が大きくなく、上述した選択信号Ｓselの波形なまりが生じていない、又は、顕著でない状態（通常状態）における選択信号Ｓselの電圧を通常電圧（設計値）として、当該通常電圧よりも高い電位の第２信号電圧Ｖsh2の選択信号Ｓselを、最初に選択ラインＬｓに印加するように制御する。その後、コントローラ１５０は、通常電圧（第１信号電圧Ｖsh1）の選択信号Ｓselを選択ラインＬｓに印加するように制御する。
【００３５】
（画素）
次に、本実施形態に係る表示パネル１１０に配列される画素ＰＩＸの構成例について具体的に説明する。
【００３６】
図５は、本実施形態に係る表示パネルに適用される画素の一例を示す回路構成図である。なお、図５に示す画素の構成については、アクティブマトリクス型の駆動方式に適用可能な画素回路（発光駆動回路）の一例を示したものに過ぎず、本発明はこれに限定されるものではない。すなわち、画素回路に複数の薄膜トランジスタを備えるものであれば、上述した特許文献１、２に示したものであってもよい。また、本実施形態においては、画素の一例として、表示データに応じた電圧値の階調電圧を印加することにより、各画素に設けられた発光素子に表示データに応じた発光駆動電流を流して、所望の輝度階調で発光動作（表示動作）させる電圧指定型の階調制御方式に対応した回路構成を備えた場合について説明するが、本発明はこれに限定されるものではない。すなわち、本実施形態に適用可能な画素は、例えば、表示データに応じた電流値の階調電流を供給することにより、各画素の発光素子に表示データに応じた発光駆動電流を流して、所望の輝度階調で発光動作させる電流指定型の階調制御方式に対応した回路構成を備えたものであってもよい。
【００３７】
本実施形態に係る表示パネル１１０に適用される画素ＰＩＸは、図５に示すように、選択ドライバ１２０に接続された選択ラインＬｓとデータドライバ１４０に接続されたデータラインＬｄとの各交点近傍に配置されている。各画素ＰＩＸは、電流駆動型の発光素子である有機ＥＬ素子ＯＥＬと、該有機ＥＬ素子ＯＥＬを発光駆動するための電流を生成する発光駆動回路（画素回路）ＤＣと、を備えている。
【００３８】
ここで、発光駆動回路ＤＣは、後述する表示駆動動作において、書込動作時には、選択ドライバ１２０から印加される選択信号Ｓselに基づいて画素ＰＩＸを選択状態に設定し、データドライバ１４０から供給される階調信号（階調電圧Ｖdata）を取り込む。また、発光駆動回路ＤＣは、発光動作時には、上記取り込まれた階調信号に応じた発光駆動電流を生成して、有機ＥＬ素子ＯＥＬに供給する。
【００３９】
図５に示す発光駆動回路ＤＣは、３個のトランジスタ（薄膜トランジスタ）Ｔｒ１１〜Ｔｒ１３と、キャパシタＣｓと、を備えた回路構成を有している。トランジスタ（スイッチングトランジスタ）Ｔｒ１１は、ゲート端子が選択ラインＬｓに接続され、また、ドレイン端子が電源ラインＬａに接続され、また、ソース端子が接点Ｎ１１に接続されている。トランジスタ（スイッチングトランジスタ）Ｔｒ１２は、ゲート端子が選択ラインＬｓに接続され、また、ソース端子がデータラインＬｄに接続され、また、ドレイン端子が接点Ｎ１２に接続されている。トランジスタ（駆動トランジスタ）Ｔｒ１３は、ゲート端子が接点Ｎ１１に接続され、ドレイン端子が電源ラインＬａに接続され、ソース端子が接点Ｎ１２に接続されている。また、キャパシタ（容量素子）Ｃｓは、トランジスタＴｒ１３のゲート端子（接点Ｎ１１）及びソース端子（接点Ｎ１２）間に接続されている。キャパシタＣｓは、トランジスタＴｒ１３のゲート・ソース端子間に形成される寄生容量であってもよいし、該寄生容量に加えて接点Ｎ１１及び接点Ｎ１２間に別個の容量素子を並列に接続したものであってもよい。
【００４０】
また、有機ＥＬ素子ＯＥＬは、アノード（アノード電極）が上記発光駆動回路ＤＣの接点Ｎ１２に接続され、カソード（カソード電極）が共通電極Ｅｃに接続されている。共通電極Ｅｃは、図示を省略した定電圧源に接続され、所定の低電位の共通電圧Ｖcom（例えば接地電位Ｖgnd）が印加されている。
【００４１】
なお、図５において、トランジスタＴｒ１１〜Ｔｒ１３については、特に限定するものではないが、例えば全て同一のチャネル型を有する薄膜トランジスタを適用することができる。トランジスタＴｒ１１〜Ｔｒ１３は、アモルファスシリコン薄膜トランジスタであっても、ポリシリコン薄膜トランジスタであってもよい。
【００４２】
特に、トランジスタＴｒ１１〜Ｔｒ１３としてｎチャネル型の薄膜トランジスタを適用し、かつ、トランジスタＴｒ１１〜Ｔｒ１３としてアモルファスシリコン薄膜トランジスタを適用した場合には、すでに確立されたアモルファスシリコン製造技術を適用して、多結晶型や単結晶型のシリコン薄膜トランジスタに比較して、簡易な製造プロセスで動作特性（電子移動度等）が均一で安定したトランジスタを実現することができる。
【００４３】
（表示装置の駆動制御方法）
次に、本実施形態に係る表示装置における駆動制御方法（画像表示動作）について、図面を参照して説明する。
【００４４】
図６は、本実施形態に係る表示装置に適用される表示画素における基本動作を示すタイミングチャートである。図７は、本実施形態に係る表示装置に適用される選択ドライバにおける選択信号の電圧値設定動作を示すタイミングチャートである。なお、図６においては、表示パネル１１０に２次元配列された画素ＰＩＸのうち、特定の行の画素ＰＩＸに着目して動作を説明する。図７においては、表示パネル１１０に２次元配列された画素ＰＩＸのうち、便宜的に１〜３行目の選択ラインに着目して選択信号の電圧値設定動作を説明する。また、図８は、本実施形態に係る表示画素における書込動作及び発光動作を示す概念図である。
【００４５】
本実施形態に係る表示装置１００の駆動制御方法（画像表示動作）は、概略、図６に示すように、所定の１処理サイクル期間Ｔcyc内に、各行の画素ＰＩＸに表示データを書き込む書込動作期間（信号印加期間）Ｔwrtと、該表示データに応じた輝度階調で、全ての画素ＰＩＸを一斉に発光動作させる発光動作期間（表示動作期間）Ｔemと、を含むように設定されている（Ｔcyc≧Ｔwrt＋Ｔem）。ここで、書込動作期間Ｔwrtにおいては、全ての画素ＰＩＸの有機ＥＬ素子ＯＥＬが発光動作しない非発光状態に設定される。
【００４６】
（書込動作）
書込動作期間Ｔwrtにおいては、図６に示すように、選択ドライバ１２０から各選択ラインＬｓに対して、所定の選択レベル（ハイレベル）に設定された選択信号Ｓselが順次印加されることにより、当該選択ラインＬｓに接続された画素ＰＩＸが選択状態に設定される。また、このとき、電源ドライバ１３０から各行の電源ラインＬａに対して、非発光レベル（ローレベル；共通電圧Ｖcom以下の電位）の電源電圧Ｖsaが印加される。
【００４７】
ここで、図６、図７に示すように、各行の書込動作期間Ｔwrtには、第２信号電圧印加期間（第２の期間）Ｔwh2と、第１信号電圧印加期間（第１の期間）Ｔwh1とが設定されている。そして、選択ドライバ１２０から選択ラインＬｓに印加される選択信号Ｓselは、第２信号電圧印加期間Ｔwh2と、第１信号電圧印加期間Ｔwh1とで、その電圧値が異なるように設定される。また、第２信号電圧印加期間Ｔwh2と第１信号電圧印加期間Ｔwh1との切り替えタイミングは、予め設定されている。
【００４８】
具体的には、第２信号電圧印加期間Ｔwh2においては、上述したコントローラ１５０から選択ドライバ１２０に供給される選択制御信号（スイッチ制御信号）に基づいて、選択ドライバ１２０の出力回路１２２に対して、Ｈｉ電源２からＨｉ電圧２（例えば＋１８Ｖ）の動作電圧が供給される。これにより、選択ドライバ１２０から選択ラインＬｓに対して、選択レベルとしてＨｉ電圧２（第２設定電圧）に基づく第２信号電圧Ｖsh2（例えば＋１８Ｖ）の選択信号Ｓselが印加される。ここで、第２信号電圧印加期間Ｔwh2の時間幅は、図７に示すように、コントローラ１５０から供給されるスイッチ制御信号の信号幅に基づいて規定される。
【００４９】
次いで、第１信号電圧印加期間Ｔwh1においては、選択ドライバ１２０に供給される上記選択制御信号（スイッチ制御信号）に基づいて、選択ドライバ１２０の出力回路１２２に対して、Ｈｉ電源１からＨｉ電圧１（例えば＋１５Ｖ）の動作電圧が供給される。これにより、選択ドライバ１２０から選択ラインＬｓに対して、選択レベルとしてＨｉ電圧１（第１設定電圧）に基づく第１信号電圧Ｖsh1（例えば＋１５Ｖ）の選択信号Ｓselが印加される。
【００５０】
このように、各ドライバから所定の駆動信号を印加することにより、選択状態に設定された行の各画素ＰＩＸの発光駆動回路ＤＣに設けられたトランジスタＴｒ１１及びＴｒ１２がオン動作して、トランジスタＴｒ１３は、ゲート・ドレイン端子間が短絡してダイオード接続状態に設定される。
【００５１】
そして、図６に示すように、このタイミングに同期して、データドライバ１４０から各データラインＬｄに対して、表示データに応じた電圧値の階調電圧Ｖdataが供給される。ここで、階調電圧Ｖdataは、各画素ＰＩＸに書き込まれる表示データに含まれる輝度階調値に応じた負極性の電圧値に設定される。ここで、階調電圧Ｖdataは負電圧であり、後述する書込電流Ｉａは負電流であるが、図６においては、便宜上、絶対値で記載している。
【００５２】
このように、データラインＬｄに負極性の階調電圧Ｖdataが供給されることにより、ローレベルの電源電圧Ｖsaよりもさらに低電位の電圧がトランジスタＴｒ１３のソース端子（接点Ｎ１２；キャパシタＣｓの他端側）に印加される。
【００５３】
したがって、接点Ｎ１１及びＮ１２間（トランジスタＴｒ１３のゲート・ソース間）に電位差が生じることによりトランジスタＴｒ１３がオン動作して、図８（ａ）に示すように、電源ラインＬａからトランジスタＴｒ１３、接点Ｎ１２、トランジスタＴｒ１２、データラインＬｄを介してデータドライバ１４０方向に、階調電圧Ｖdataに対応した書込電流Ｉａが流れる。
【００５４】
このとき、キャパシタＣｓには、接点Ｎ１１及びＮ１２間（薄膜トランジスタのＴｒ１３のゲート・ソース間）に生じた電位差に対応する電荷が蓄積され、電圧成分として保持される。また、有機ＥＬ素子ＯＥＬのアノード（接点Ｎ１２）に印加される電位はカソードの電位（共通電圧Ｖcom）よりも低くなるため、有機ＥＬ素子ＯＥＬには電流が流れず発光動作は行われない（非発光動作）。
【００５５】
そして、上述したような各行の画素ＰＩＸへの書込動作を、相互に時間的に重ならないように繰り返し実行する。具体的には、図７に示すように、１行目の選択ラインＬｓに対して、上述したような異なる電圧（第１信号電圧Ｖsh1、第２信号電圧Ｖsh2）に切り替え設定される選択信号Ｓselを印加して画素ＰＩＸを選択状態に設定し、各データラインＬｄに対して、階調電圧Ｖdataを供給して表示データに応じた電圧成分を書き込む一連の動作を、２行目以降の画素ＰＩＸに対してもタイミングをずらして順次実行する。ここで、各行の画素ＰＩＸに対して書込動作を繰り返し実行している期間においては、電源ドライバ１３０から各行の電源ラインＬａに対して、非発光レベルの電源電圧Ｖsaが印加されているため、各画素ＰＩＸの有機ＥＬ素子ＯＥＬが発光動作しない非発光状態に設定される。
【００５６】
（発光動作）
次いで、書込動作期間Ｔwrt終了後の発光動作期間（表示動作期間）Ｔemにおいては、図６に示すように、選択ドライバ１２０から各選択ラインＬｓに対して、非選択レベル（ローレベル）としてＬｏ電圧に基づく電圧Ｖsl（例えば−１５Ｖ）の選択信号Ｓselが印加されることにより、各画素ＰＩＸが非選択状態に設定される。これにより、各画素ＰＩＸの発光駆動回路ＤＣに設けられたトランジスタＴｒ１１及びＴｒ１２がオフ動作して、データラインＬｄと各画素ＰＩＸとの接続が遮断される。このとき、キャパシタＣｓには、上述した書込動作期間Ｔwrtにおいて蓄積された電荷が保持される。
【００５７】
そして、この状態で電源ドライバ１３０から各行の電源ラインＬａに対して、発光レベル（ハイレベル；共通電圧Ｖcomよりも高い電位）の電源電圧Ｖsaが印加される。これにより、各画素ＰＩＸに設けられたトランジスタのＴｒ１３のゲート・ソース間（キャパシタＣｓの両端）の電位差が保持されることになり、トランジスタＴｒ１３はオン状態を維持し、また、有機ＥＬ素子ＯＥＬのアノード（接点Ｎ１２）に印加される電位はカソードの電位（接地電位）よりも高くなる。
【００５８】
したがって、図８（ｂ）に示すように、各画素ＰＩＸにおいて、電源ラインＬａからトランジスタＴｒ１３、接点Ｎ１２を介して、有機ＥＬ素子ＯＥＬに順バイアス方向に、上記書込電流Ｉａと略同等の電流値の発光駆動電流Ｉｂが流れ、有機ＥＬ素子ＯＥＬが発光動作する。これにより、各画素ＰＩＸの有機ＥＬ素子ＯＥＬは、書込動作期間Ｔwrtに書き込まれた表示データ（階調電圧Ｖdata）に応じた輝度階調で発光する動作を継続する。
【００５９】
（比較検証）
次に、本実施形態に係る表示装置（発光装置）及びその駆動制御方法における作用効果について、比較対象を示して詳しく説明する。
【００６０】
図９は、本実施形態の比較対象にとなる表示装置の駆動制御方法の一例を示すタイミングチャートである。また、図１０は、比較対象となる駆動制御方法を適用した場合の選択ライン電圧の変化を示す図である。
【００６１】
まず、比較対象として、図５に示したような画素ＰＩＸを備えた表示装置１００において、図９に示すように、書込動作時に、ハイレベル側の電圧値を一定に設定した選択信号Ｓselを選択ラインＬｓに印加する場合について説明する。この場合、選択ドライバ１２０から選択ラインＬｓに印加される選択信号Ｓselは、選択レベルとして単一の電圧Ｖsh（例えば＋１５Ｖ）に設定されている。この選択レベルは、上述した第１の実施形態における通常電圧である選択信号Ｓselの第１信号電圧Ｖsh1に対応する。また、選択信号Ｓselは、非選択レベルとして、例えば−１５Ｖに設定されている。この非選択レベルは、上述した第１の実施形態におけるＬｏ電源の電圧Ｖslに対応する。
【００６２】
このような駆動制御方法を用いた場合において、選択ラインＬｓに選択信号Ｓselを印加した際の選択ライン電圧の変化についてシミュレーション実験を行った。それによれば、図１０に示すように、選択ドライバ１２０からの距離が最も短い１列目の画素ＰＩＸ近傍における選択ライン電圧（図中では、規格化した検出電圧）は、図中特性線ＳＰＸ(1)に示すように、選択ドライバ１２０から出力される選択信号Ｓselに対して、比較的短い時間（０〜概ね２．０μsec）で選択信号Ｓselの電圧値（図中では、規格化値１．０）に漸近し、その後（概ね２．０μsec〜）、時間経過とともに徐々に選択信号Ｓselの電圧値に収束していく傾向を示した。
【００６３】
これに対して、選択ドライバ１２０からの距離が最も長いｍ列目の画素ＰＩＸ近傍における選択ライン電圧は、図中特性線ＳＰＸ(m)に示すように、選択ドライバ１２０からの選択信号Ｓselの印加直後から緩やかに上昇し、十分に時間（概ね１５．０μsec以上）をかけて選択信号Ｓselの電圧値（規格化値１．０）に収束していく傾向を示した。つまり、選択ドライバ１２０からの距離が長くなるにしたがって、選択信号Ｓselに対する選択ライン電圧（検出電圧）の波形なまりが大きくなることがわかる。なお、選択ラインＬｓに接続された画素ＰＩＸのうち、上記１列目とｍ列目の中間のｊ列（１＜ｊ＜ｍとなる正の整数）に配設された画素ＰＩＸ近傍における選択ライン電圧は、図中特性線ＳＰＸ(j)に示すように、上述した特性線ＳＰＸ(1)とＳＰＸ(m)との間の変化傾向を示した。
【００６４】
図１０に示したように、列ごとに選択信号Ｓselの波形形状（波形なまり）が異なる原因は、選択信号Ｓselの出力源である選択ドライバ１２０から各画素ＰＩＸまでの、選択ラインＬｓの距離に起因する配線抵抗と、各画素ＰＩＸの発光駆動回路ＤＣに設けられるトランジスタ素子の数に起因する寄生容量と、に基づく時定数によるものである。ここで、この時定数は、還元すれば、各列の画素ＰＩＸの負荷の大きさに相当する。
【００６５】
ここで、表示パネルを大画面化した際の表示特性の向上のため、動作周波数を例えば１２０Ｈｚとした倍速駆動を行った場合、各行の画素ＰＩＸに許容される書込動作期間Ｔwrtの長さは、概ね１０μsec程度の短い時間に設定されることになる。この観点で、図１０に示したシミュレーション結果を検証すると、概ね１０μsec程度の時間では、１列目から選択ドライバ１２０からの距離が最も長いｍ列目のいずれの画素ＰＩＸの位置においても、選択ライン電圧は選択信号Ｓselの電圧値（規格化値１．０）に到達せず、安定した選択状態に設定されないことがわかる。特に、中間のｊ列からｍ列目の画素ＰＩＸの位置においては、選択状態が極めて不安定になる可能性がある。すなわち、比較対象となる駆動制御方法においては、画素ＰＩＸの選択状態への移行が大幅に遅延することになり、書込動作期間Ｔwrtにおける実質的な選択状態となる期間が相対的に短くなる。そのため、表示データの書き込み不足に起因する輝度ムラや画面のちらつきが生じて、画質の劣化を招くという問題を有している。
【００６６】
これに対して、本実施形態に係る表示装置１００の駆動制御方法においては、上述したように、書込動作期間Ｔwrtに選択ドライバ１２０から選択ラインＬｓに印加される選択信号Ｓselが、まず最初に、通常電圧である第１信号電圧Ｖsh1よりも高い電位の第２信号電圧Ｖsh2に設定される。そして、第２信号電圧印加期間Ｔwh2終了後に通常電圧である第１信号電圧Ｖsh1に切り替え設定される。このような選択信号Ｓselを選択ラインＬｓに印加することにより、当該選択ラインＬｓに接続された各列の画素ＰＩＸに印加される選択信号Ｓselの遅延の差をなくすことができる。
【００６７】
図１１は、本実施形態に係る駆動制御方法を適用した場合の選択ライン電圧の変化を示す図である。ここで、上述したように、大画面の表示パネルにおいて、例えば１２０Ｈｚの動作周波数で倍速駆動を行う場合の書込動作期間Ｔwrtは概ね１０．０μsecである。図１１は、この書込動作期間Ｔwrt中に、選択信号Ｓselとして上記通常電圧よりも高い第２信号電圧Ｖsh2（例えば＋１８Ｖ）を６．０μsecまで印加した後、通常電圧である第１信号電圧Ｖsh1（例えば＋１５Ｖ）に切り替えて印加した場合のシミュレーション結果である。
【００６８】
それによれば、図１１に示すように、選択ドライバ１２０から最も近い１列目の画素ＰＩＸ近傍における選択ライン電圧（図中では、規格化した検出電圧）は、図中特性線ＳＰ(1)に示すように、選択信号Ｓselの印加開始後、比較的短い時間（０〜概ね２．０μsec）で急峻に上昇して、その後、通常電圧に相当する規格化値１．０を超えて、選択信号Ｓselを切り替えるタイミング（６．０μsec）で概ね１．１に達する変化傾向を示した。その後、選択信号Ｓselの電圧値が通常電圧である第１信号電圧Ｖsh1に切り替わることにより、選択ライン電圧は、急速に通常電圧に相当する規格化値１．０に収束する変化傾向を示した。
【００６９】
一方、選択ドライバ１２０から最も遠いｍ列目の画素ＰＩＸ近傍における選択ライン電圧は、図中特性線ＳＰ(m)に示すように、選択信号Ｓselの印加後、比較的緩やかに上昇して、選択信号Ｓselが第１信号電圧Ｖsh1に切り替わった直後のタイミング（６．０μsec）で概ね１．０に収束する変化傾向を示した。なお、これらの中間のｊ列に配設された画素ＰＩＸ近傍における選択ライン電圧は、図中特性線ＳＰ(j)に示すように、上述した特性線ＳＰ(1)とＳＰ(m)との間の変化傾向を示した。
【００７０】
したがって、本実施形態に係る駆動制御方法によれば、選択信号Ｓselが切り替わった直後のタイミング（第１信号電圧印加期間Ｔwh1の開始時点）で、選択ラインＬｓのいずれの位置に接続された画素ＰＩＸに対しても略均一な電圧値（第１信号電圧Ｖsh1）の選択信号Ｓselが印加されることがわかった。すなわち、各列の画素ＰＩＸに対する選択信号Ｓselの波形なまりが改善されるとともに、選択信号Ｓselが第１信号電圧Ｖsh1に切り替わったタイミング以降では信号遅延の差がほとんどない状態が実現される。
【００７１】
ここで、選択信号Ｓselの電圧値を一定値にすることの意味について説明する。上述のように、書込動作期間Ｔwrtにおいて選択信号Ｓselが印加されたとき、選択信号Ｓselが発光駆動回路ＤＣのトランジスタＴｒ１１、Ｔｒ１２のゲートに印加され、トランジスタＴｒ１１、Ｔｒ１２がオン動作して、トランジスタＴｒ１３はダイオード接続状態に設定され、このときデータラインＬｄに階調電圧Ｖdataが供給され、電源ラインＬａからトランジスタＴｒ１３、接点Ｎ１２、トランジスタＴｒ１２、データラインＬｄを介して、階調電圧Ｖdataに応じた書込電流Ｉａが流れる。このとき、トランジスタＴｒ１２が理想的な特性を有している場合には、そのゲートに印加される電圧の電圧値が、トランジスタＴｒ１２が飽和領域で動作するのに必要な所定の電圧値以上であれば、ソース・ドレイン間の電圧が一定電圧であるとき、ソース・ドレイン間に流れる電流の電流値はゲート電圧に依らずに一定となる。
【００７２】
しかし、実際には、トランジスタＴｒ１２の特性が理想的な特性でなく、飽和領域においてソース・ドレイン間の電圧が一定電圧であるときにソース・ドレイン間に流れる電流の電流値が、ゲート電圧によって多少変化するような特性を有していることがある。このような場合には、書込動作期間Ｔwrt中の選択ラインＬｓの電圧によって、階調電圧Ｖdataが同じでも書込電流Ｉａの電流値が異なることになる。その結果、キャパシタＣｓに蓄積される電荷量が異なることになり、ひいては、有機ＥＬ素子ＯＥＬに供給される発光駆動電流Ｉｂの電流値が異なり、発光輝度のバラツキ等をもたらすことになる。このような発光輝度のバラツキの発生を抑えて良好な表示品位を得るためには、階調電圧Ｖdataに対する書込電流Ｉａの電流値が一定値となるようにしなければならない。このために、選択信号Ｓselの電圧値をできるだけ一定値にすることが好ましいのである。
【００７３】
このように、本実施形態に係る表示装置１００の駆動制御方法においては、書込動作期間Ｔwrtに選択ラインＬｓに対して異なる電圧の選択信号Ｓselを順次印加し、かつ、最初に印加する選択信号Ｓselの電圧（第２信号電圧Ｖsh2）を通常電圧（第１信号電圧Ｖsh1）よりも高い電位となるように設定する。これにより、本実施形態によれば、選択ドライバ１２０からの距離（還元すれば、各列の画素ＰＩＸの負荷の大きさ）に関わりなく、各列の画素ＰＩＸに対して信号遅延の差がない選択信号Ｓselを印加することができるので、表示データの書き込み不足に起因する輝度ムラや画面のちらつきの発生を抑制して、良好な画質を実現することができる。
【００７４】
このような選択信号Ｓselの電圧値の切り替え制御は、上述したようなシミュレーション実験等に基づいて、第２信号電圧印加期間Ｔwh2の長さを設定することができるが、次のような選択ライン電圧の計測機構を備える構成を用いて設定することもできる。
【００７５】
図１２は、本実施形態に係る表示装置に適用される選択ライン電圧の計測機構を示す概略構成図である。
本実施形態に係る表示装置１００に適用される選択ライン電圧の計測機構は、例えば図１２に示すように、選択ラインＬｓに接続された計測用配線Ｌms(1)及びＬms(m)と、当該計測用配線Ｌms(1)及びＬms(m)に接続された選択ライン電圧計測回路１７０と、を有している。
【００７６】
計測用配線Ｌms(1)は、特定の行の選択ラインＬｓにおいて、１列目の画素ＰＩＸが接続された位置の近傍に接続されている。また、計測用配線Ｌms(m)は、選択ラインＬｓの、選択ドライバ１２０からの距離が最も長い最終列のｍ列目の画素ＰＩＸが接続された位置の近傍に接続されている。これにより、実質的に選択ラインＬｓを介して１列目及び最終列であるｍ列目の画素ＰＩＸに印加される選択信号Ｓselが切り替わった直後のタイミング（第１信号電圧印加期間Ｔwh1の開始時点）の電圧値が、選択ライン電圧計測回路１７０により計測される。
【００７７】
選択ライン電圧計測回路１７０は、例えば計測された選択ライン電圧の大小関係を比較して、その結果をコントローラ１５０に検出結果として出力する。コントローラ１５０は、この検出結果に基づいて、上述した書込動作期間Ｔwrtにおける第２信号電圧印加期間Ｔwh2の長さを設定する。
【００７８】
ここで、第２信号電圧印加期間Ｔwh2が長過ぎると、図１１に示した特性線ＳＰ(1)のように、選択ラインＬｓ（すなわち画素ＰＩＸ）に印加される電圧が通常電圧である第１信号電圧Ｖsh1よりも高くなり過ぎる可能性がある。そこで、第２信号電圧印加期間Ｔwh2の設定動作として、次のようなフィードバック制御を用いることができる。
【００７９】
図１３は、本実施形態に係る表示装置に適用される第２信号電圧印加期間Ｔwh2の設定方法の一例を示すフローチャートである。
第２信号電圧印加期間Ｔwh2の設定動作は、図１３に示すように、まず、コントローラ１５０からの選択制御信号により、選択ドライバ１２０において、書込動作期間Ｔwrt中に設定される第２信号電圧印加期間Ｔwh2の長さを「０」（初期値）に設定する（初期化ステップＳ１０１）。そして、この状態で、選択ドライバ１２０から選択ラインＬｓに選択信号Ｓselを印加する（選択信号印加ステップＳ１０２）。ここで、初期状態では、第２信号電圧印加期間Ｔwh2の時間はゼロに設定されるため（Ｔwh2＝０）、実質的に通常電圧である第１信号電圧Ｖsh1のみが選択ラインＬｓに印加される。
【００８０】
次いで、選択信号Ｓsel印加後の所定のタイミング（具体的には、書込動作期間Ｔwrt内の任意のタイミング）で、選択ライン電圧計測回路１７０により１列目とｍ列目の画素ＰＩＸの位置における選択ライン電圧の電圧値を、計測用配線Ｌms(1)及びＬms(m)を介して個別に計測する（電圧計測ステップＳ１０３）。
【００８１】
次いで、選択ライン電圧計測回路１７０は、計測された電圧値の大小関係を比較して、その結果をコントローラ１５０に出力する（電圧比較ステップＳ１０４）。ここで、電圧値の比較処理は、アナログ電圧の状態のまま実行するものであってもよいし、図示を省略したアナログ−デジタル変換回路（以下、「ＡＤＣ」と記す）によりデジタル信号に変換した後に実行するものであってもよい。また、この電圧値の比較処理は、選択ライン電圧計測回路１７０内で実行するものであってもよいし、コントローラ１５０内で実行するものであってもよい。コントローラ１５０内で電圧値の比較処理を実行する場合には、選択ライン電圧計測回路１７０は、例えば内部に備えるＡＤＣによりアナログ電圧からなる計測電圧をデジタル信号に変換して、コントローラ１５０に出力する。
【００８２】
次いで、コントローラ１５０は、測定電圧の比較結果に差がある場合（具体的には、図１０に示したように、１列目の計測電圧がｍ列目の計測電圧よりも高い場合、電圧比較ステップＳ１０４：No）には、第２信号電圧印加期間Ｔwh2に一定の単位時間Ｔａを加算する（印加期間調整ステップＳ１０６）。そして、コントローラ１５０は、単位時間Ｔａが加算された第２信号電圧印加期間Ｔwh2に対応するように信号幅が設定されたスイッチ制御信号を生成して、図３に示したスイッチ１６１又は選択ドライバ１２０内のスイッチ１６２に出力する。これにより、再び選択信号印加ステップＳ１０２に戻り、まず最初に、単位時間Ｔａが加算された時間幅を有する第２信号電圧印加期間Ｔwh2にＨｉ電圧２が選択ラインＬｓに印加され、続いて、書込動作期間Ｔwrtの終了時点までの第１信号電圧印加期間Ｔwh1に第１信号電圧が選択ラインＬｓに印加される。
【００８３】
このように、選択信号印加ステップ、電圧計測ステップ、電圧比較ステップ及び印加期間調整ステップからなる一連の処理動作を繰り返し実行し、電圧比較ステップＳ１０４において、１列目の計測電圧とｍ列目の計測電圧とが第１信号電圧Ｖsh1に近似又は等しく、所定の許容範囲内の値であるとき（電圧比較ステップＳ１０４：Yes）の時間幅（信号幅）を、第２信号電圧印加期間Ｔwh2の長さとして決定し、メモリに記憶する（印加期間決定ステップＳ１０５）。ここで、許容範囲は、第１信号電圧Ｖsh1の電圧値の９５％〜１１０％の値に設定される。
【００８４】
これにより、図７に示したように、書込動作期間Ｔwrtにおいて、コントローラ１５０からスイッチ１６１又は１６２に対して、上記メモリに記憶された信号幅のスイッチ制御信号を供給することにより、最初に、所定の第２信号電圧印加期間Ｔwh2中、Ｈｉ電圧２が選択ラインＬｓに印加され、続いて、書込動作期間Ｔwrtの終了時点までの第１信号電圧印加期間Ｔwh1中、第１信号電圧が選択ラインＬｓに印加される。
【００８５】
なお、本実施形態において、図１３のフローチャートに示した駆動制御方法を実現するための構成（選択ライン電圧の計測機構）は、図１２に示したものに限定されない。本実施形態（図１２）と同等の構成、及びさらに別の構成については、後述する第３の実施形態（図１６、図１７参照）においても詳しく説明する。
【００８６】
＜第２の実施形態＞
次に、本発明に係る表示装置（発光装置）及びその駆動制御方法の第２の実施形態について、図面を参照して説明する。
【００８７】
上述した第１の実施形態においては、表示パネル１１０の端部から選択ドライバ１２０までの距離は、各行で同一であるものとして、書込動作期間Ｔwrt中の第２信号電圧印加期間Ｔwh2の長さを設定する場合について説明した。すなわち、第１の実施形態においては、図７に示したように、１行目からｎ行目までの各行における第２信号電圧印加期間Ｔwh2の長さは全て同一に設定されている。これに対し、第２の実施形態においては、表示パネル１１０の端部から選択ドライバ１２０までの接続配線（引き回し配線）の長さが異なる場合に対応した表示装置の駆動制御方法を有していることを特徴とする。
【００８８】
図１４は、第２の実施形態に係る表示装置の一例を示す概略ブロック図である。ここでは、図１に示した表示装置の全体構成のうち、本実施形態に特有の構成のみを示し、他の構成を省略した。図１５は、本実施形態に係る表示装置に適用される選択ドライバにおける選択信号の電圧値設定動作を示すタイミングチャートである。
【００８９】
大画面の表示パネルを備える表示装置においては、一般に、表示パネルの画面サイズに比較してドライバ機能を搭載したＩＣチップ（ドライバチップ）のサイズの方が小さくなる。このような場合、表示パネルの各行に配設された選択ラインの端部から選択ドライバまでの距離は、均一にはならない。例えば図１４に示すように、表示パネル１１０の行方向（図面左右方向）の外方下部（最終行側）に偏って選択ドライバ１２０が配置された構成においては、選択ドライバ１２０と１行目の選択ラインＬｓ(1)とを接続する引き回し配線Ｌrt(1)の長さが、ｎ行目の選択ラインＬｓ(n)に接続される引き回し配線Ｌrt(n)の長さに比較して顕著に長くなる。すなわち、選択ドライバ１２０から選択ラインＬｓに接続された画素ＰＩＸまでの距離が行ごとに異なることになる。
【００９０】
上述した第１の実施形態において説明したように、選択信号Ｓselの波形なまりは、選択ラインＬｓの配線長に起因する配線抵抗と、画素ＰＩＸに設けられるトランジスタ素子の数に起因する寄生容量に基づく時定数に影響される。図１４に示したように、引き回し配線を含む選択ラインＬｓの配線長が行ごとに異なる場合においても同様に、各行の選択ラインＬｓにおける時定数が異なることになる。そのため、１行目の選択ラインＬｓ(1)に印加される選択信号Ｓselの波形なまりが、ｎ行目の選択ラインＬｓ(n)に比較して顕著になり、１行目の選択ラインＬｓ(1)に接続された画素ＰＩＸにおける書き込み不足が生じやすくなる。
【００９１】
そこで、本実施形態においては、図１５に示すように、各行の書込動作期間Ｔwrtにおいて、選択ラインＬｓにＨｉ電圧２を印加する第２信号電圧印加期間Ｔwh2の長さを、引き回し配線を含む選択ラインＬｓの配線長（すなわち、負荷の大きさ）に応じて異ならせるように設定する。具体的には、図１５に示すように、引き回し配線Ｌrt(1)を含む配線長が最も長い１行目の選択ラインＬｓ(1)に印加される選択信号Ｓselにおける第２信号電圧印加期間Ｔwh2(1)の長さが最も長く設定される。そして、２行目の選択ラインＬｓ(2)以降のi行目の第２信号電圧印加期間Ｔwh2(i)の長さは徐々に短くなるように設定されて、引き回し配線Ｌrt(n)を含む配線長が最も短いｎ行目の選択ラインＬｓ(n)に印加される選択信号Ｓselにおける第２信号電圧印加期間Ｔwh2(n)の長さが最も短く設定される。また、これに応じて、１行目の選択ラインＬｓ(1)に印加される選択信号Ｓselにおける第１信号電圧印加期間Ｔwh1(1)の長さが最も短く設定され、ｎ行目の選択ラインＬｓ(n)に印加される選択信号Ｓselにおける第１信号電圧印加期間Ｔwh1(n)の長さが最も長く設定される。
【００９２】
このような第２信号電圧印加期間Ｔwh2及び第１信号電圧印加期間Ｔwh1の設定方法としては、例えば、上述した第１の実施形態に示した駆動制御方法（図１３のフローチャート参照）を用いて、１列目の計測電圧とｍ列目の計測電圧とが等しくなり、双方の差がなくなる（０となる）状態のときの時間幅を、第２信号電圧印加期間Ｔwh2の長さとして決定する一連の処理動作（ステップＳ１０１〜Ｓ１０６）を、各行ごとに実行することによって設定する。
【００９３】
このように、本実施形態に係る表示装置の駆動制御方法によれば、書込動作期間に選択ラインに対して異なる電圧値の選択信号を順次印加し、かつ、最初に印加する選択信号の印加期間を調整する。これにより、本実施形態によれば、各行の選択ラインにおいて、選択ドライバからの距離に関わりなく、各列の画素ＰＩＸに対して信号遅延の差がない選択信号を印加することができるので、表示データの書き込み不足に起因する輝度ムラや画面のちらつきの発生を抑制して、良好な画質を実現することができる。
【００９４】
なお、本実施形態は、図１３に示した一連の処理動作からなる駆動制御方法を、表示パネル１１０の全ての行について実行して、各行ごとに異なる長さの第２信号電圧印加期間Ｔwh2を設定するものに限定されない。本実施形態は、例えば、１行目とｎ行目の選択ラインＬｓ(1)、Ｌｓ(n)についてのみ、図１３に示した一連の処理動作を実行し、当該１行目とｎ行目の選択ラインＬｓ(1)、Ｌｓ(n)に設定される第２信号電圧印加期間Ｔwh2の長さに基づいて（例えば比例配分により）、他の行の選択ラインＬｓの第２信号電圧印加期間Ｔwh2の長さを算出して決定するものであってもよい。
【００９５】
また、本実施形態においても、上述した第１の実施形態と同様に、図１３のフローチャートに示した駆動制御方法を実現するための構成（選択ライン電圧の計測機構）として、第１の実施形態（図１２参照）と同等の構成、又は、後述する第３の実施形態（図１６、図１７参照）に示す構成を適用することができる。
【００９６】
＜第３の実施形態＞
次に、本発明に係る表示装置（発光装置）及びその駆動制御方法の第３の実施形態について、図面を参照して説明する。
【００９７】
上述した第１及び第２の実施形態においては、図１３のフローチャートに示した一連の処理動作（ステップＳ２０１〜Ｓ２０６）からなる駆動制御方法により、各行の書込動作期間Ｔwrtに含まれる第２信号電圧印加期間Ｔwh2の長さを設定する手法について説明した。すなわち、第１及び第２の実施形態においては、上述した選択信号Ｓselの波形なまりを抑制する手法として、第２信号電圧印加期間Ｔwh2の長さのみを制御する手法を示した。これに対し、第３の実施形態においては、第２信号電圧印加期間Ｔwh2の長さに加えて、当該第２信号電圧印加期間Ｔwh2に印加する選択信号Ｓselの電圧値Ｖsh2も適宜変化させて制御する手法を有していることを特徴とする。
【００９８】
また、上述した第１及び第２の実施形態においては、選択ドライバ１２０が単体のＩＣチップとして形成され、表示パネル１１０の周辺に独立して配置された構成を示した。ところで、近年、表示装置の周辺回路が有する異なるドライバ機能を単一のＩＣチップに搭載して、表示パネルの近傍に配置することが一般的に行われている。以下に示す第３の実施形態においては、選択ドライバ及びデータドライバの機能を備えた単一のＩＣチップ（１チップドライバ）を、表示パネルの周辺に配置した場合の構成についても説明する。加えて、第３の実施形態においては、選択ラインの電圧値を計測するための選択ライン電圧の計測機構についても、第１及び第２の実施形態（図１２参照）と同等の構成及びさらに別の構成を示して説明する。
【００９９】
（表示装置）
まず、本実施形態に係る表示装置（発光装置）の概略構成について、図面を参照して説明する。
【０１００】
図１６、図１７は、第３の実施形態に係る表示装置の構成例を示す概略ブロック図である。ここでは、図１に示した表示装置の全体構成のうち、本実施形態に特有の構成のみを示し、他の構成を省略した。
【０１０１】
（表示装置）
図１６（ａ）に示す第３の実施形態に係る表示装置１００は、表示パネル１１０の列方向の外方（図面下方側）に配置された選択・データ１チップドライバ１８０と、引き回し配線Ｌrt（Ｌrt(1)〜Ｌrt(n)）と、計測用配線Ｌms(1)、Ｌms(m)と、ＡＤＣ１７１と、を有している。選択・データ１チップドライバ１８０は、上述した第１の実施形態に示した選択ドライバ１２０とデータドライバ１４０の両方の機能を単一のチップに搭載している。引き回し配線Ｌrtは、表示パネル１１０に配設された選択ラインＬｓ（Ｌｓ(1)〜Ｌｓ(n)）と選択・データ１チップドライバ１８０とを接続する。計測用配線Ｌms(1)、Ｌms(m)は、第１の実施形態に示した構成（図１２参照）と同様に、選択ラインの所定の位置の選択ライン電圧を計測するためのものである。ＡＤＣ１７１は、計測用配線Ｌms(1)、Ｌms(m)を介して個別に計測されたアナログ電圧からなる選択ライン電圧をデジタル信号に変換して、検出結果としてコントローラ１５０に出力する。
【０１０２】
なお、本実施形態に係るＡＤＣ１７１は、選択・データ１チップドライバ１８０と別個の構成として独立して設けられるものであってもよいし、図１６（ｂ）に示すように、ＡＤＣ１７１が選択・データ１チップドライバ１８０の内部に設けられているものであってもよい。ここで、図１６（ａ）、（ｂ）に示すＡＤＣ１７１は、上述した第１の実施形態に示した選択ライン電圧計測回路１７０に相当する。
【０１０３】
また、図１７に示す表示装置１００は、図１６に示したように計測用配線Ｌms(1)、Ｌms(m)及びＡＤＣ１７１が予め接続され、一体的に組み込まれた構成ではなく、表示装置１００の外部から選択ラインＬｓの電圧を検出可能なように形成された計測用端子パッドＰms(1)及びＰms(m)のみを備えている。計測用端子パッドＰms(1)及びＰms(m)には、選択ラインＬｓの電圧の検出を行うときに、ＡＤＣ１７２に接続されたプローブ針が接触する。これにより、ＡＤＣ１７２は、計測用端子パッドＰms(1)及びＰms(m)を介して計測されたアナログ電圧からなる選択ライン電圧をデジタル信号に変換してコントローラ１５０に出力する。ここで、図１７に示すＡＤＣ１７２は、上述した第１の実施形態に示した選択ライン電圧計測回路１７０に相当し、例えばプローブ針を備えたプローバ内に設けられる。
【０１０４】
図１６（ａ）、（ｂ）に示したＡＤＣ１７１を備えた表示装置１００においては、選択ライン電圧の計測機構が一体的に組み込まれているので、後述する駆動制御方法（第２信号電圧印加期間Ｔwh2及びその電圧値の設定動作）を任意のタイミングで実行して、選択信号Ｓselの波形を任意のタイミングで再調整することができる。したがって、この構成の表示装置は、表示画質の経時劣化が見込まれる場合に有効である。一方、図１７に示した表示装置においては、選択ライン電圧の計測機構が表示装置に組み込まれていないので、表示装置の装置構成や駆動制御を簡略化することができる。したがって、この構成の表示装置は、後述する駆動制御方法（第２信号電圧印加期間Ｔwh2及びその電圧値の設定動作）を、表示装置の出荷前に１回のみ実行すればよい場合に有効である。
【０１０５】
ところで、図１６、図１７に示した構成を有する表示装置においては、表示パネル１１０の下方に選択・データ１チップドライバ１８０が配置されている。この場合、選択・データ１チップドライバ１８０と表示パネル１１０の端部間に接続される引き回し配線Ｌrtは、表示パネル１１０の上方の行の選択ラインＬｓに接続されるものほど、表示パネル１１０の側方に大きく迂回することになる。そのため、１行目の選択ラインＬｓ(1)と最終行のｎ行目の選択ラインＬｓ(n)との間で、配線長に大きな差が生じることになる。これにより、上述した第２の実施形態と同様に、行ごとに引き回し配線Ｌrtを含む選択ラインＬｓの配線長（すなわち、負荷の大きさ）が異なり、選択・データ１チップドライバ１８０に近いｎ行目の選択ラインＬｓ(n)に比較して、選択・データ１チップドライバ１８０から遠い１行目の選択ラインＬｓ(1)に印加される選択信号Ｓselの方が、波形なまりが大きくなり、信号遅延が顕著になる。
【０１０６】
そこで、本実施形態においては、選択信号Ｓselの波形なまりを抑制する手法として、第２信号電圧印加期間Ｔwh2の長さに加えて、当該第２信号電圧印加期間Ｔwh2に印加する選択信号Ｓselの電圧値Ｖsh2も適宜変化させて制御する。このような第２信号電圧印加期間Ｔwh2の調整設定、及び、選択信号Ｓselの電圧値変更設定を実現するために、本実施形態は以下に示すような構成（電圧値設定機構）を有している。
【０１０７】
図１８は、本実施形態に係る表示装置に適用される選択・データ１チップドライバの選択ドライバ機能部を含む電圧値設定機構の構成例を示す概略図である。
図１８（ａ）に示す電圧値設定機構は、選択・データ１チップドライバの選択ドライバ機能部１２０Ａに供給されるハイレベル側の動作電圧（Ｈｉ電圧；図中「Ｈｉ電源」と表記）を、外部に設けられたスイッチ１６１によりＨｉ電源１（Ｈｉ電圧１；例えば＋１５Ｖ）、又は、ＤＡＣ１９１により設定されるＨｉ電源２（Ｈｉ電圧２）のうち、いずれかに設定する。ここで、ＤＡＣ１９１は、例えばＨｉ電源２として設定される最高電圧以上となる電圧値を有するＨｉ電源３に接続され、コントローラ１５０から供給される選択制御信号の一種であるＤＡＣ制御信号により、任意の電圧値のＨｉ電圧２を生成してスイッチ１６１に供給する。ここで、コントローラ１５０から供給されるＤＡＣ制御信号は、第２信号電圧印加期間Ｔwh2に選択ラインＬｓに印加される選択信号Ｓselの電圧Ｖsh2を規定するためのデジタル値を含んでいる。このデジタル値は、後述する駆動制御方法（電圧値設定動作）において、第２信号電圧印加期間Ｔwh2及び第２信号電圧の電圧Ｖsh2を決定する際に取得される。また、スイッチ１６１は、コントローラ１５０から供給される選択制御信号の一種であるスイッチ制御信号により、Ｈｉ電源１又はＨｉ電源２のいずれかを選択ドライバ機能部１２０Ａに接続するように切り替え制御される。なお、選択ドライバ機能部１２０Ａには、Ｌｏ電源が接続され、ローレベル側の動作電圧として常時Ｌｏ電圧（例えば−１５Ｖ）が供給されている。
【０１０８】
また、電圧値設定機構は、図１８（ｂ）に示すような構成を適用することもできる。図１８（ｂ）に示す電圧値設定機構は、図１８（ａ）に示したスイッチ１６１及びＤＡＣ１９１が、スイッチ１６２及びＤＡＣ１９２として選択ドライバ機能部１２０Ａの内部に設けられた構成を有している。すなわち、選択ドライバ機能部１２０Ａには、Ｈｉ電源１及びＨｉ電源３が接続され、ハイレベル側の動作電圧としてＨｉ電圧１（例えば＋１５Ｖ）及びＨｉ電圧３が供給されている。そして、ＤＡＣ１９２は、コントローラ１５０から選択ドライバ機能部１２０Ａに供給されるＤＡＣ制御信号に含まれる、電圧値を規定するためのデジタル値に基づいて、任意の電圧値のＨｉ電圧２を生成してスイッチ１６２に供給する。また、スイッチ１６２は、コントローラ１５０から選択ドライバ１２０に供給されるスイッチ制御信号により切り替え制御されて、Ｈｉ電源１又はＨｉ電源２のいずれかを選択して、内部Ｈｉ電源として利用する。
【０１０９】
このような構成を有する電圧値設定機構により、表示駆動動作（駆動制御方法）における書込動作期間Ｔwrt中に、コントローラ１５０からの選択制御信号（スイッチ制御信号、ＤＡＣ制御信号）に基づいて、選択ドライバ機能部１２０Ａが、まず通常（設計値）よりも高い電位の任意の電圧（第２信号電圧Ｖsh2）の選択信号Ｓselを選択ラインＬｓに印加し、次いで通常の電圧（第１信号電圧Ｖsh1；例えば＋１５Ｖ）の選択信号Ｓselを印加する。
【０１１０】
（表示装置の駆動制御方法）
次に、本実施形態に係る表示装置における駆動制御方法について、図面を参照して説明する。
【０１１１】
図１９は、本実施形態に係る表示装置に適用される第２信号電圧印加期間Ｔwh2及びその電圧Ｖsh2の設定方法の一例を示すフローチャートである。ここで、上述した第１の実施形態（図１３参照）と同等の処理動作については、その説明を簡略化する。また、図２０は、本実施形態に係る駆動制御方法により設定される選択信号を説明するための波形図である。
【０１１２】
第２信号電圧印加期間Ｔwh2及びその電圧の設定動作は、図１９に示すように、まず、コントローラ１５０からのＤＡＣ制御信号により、ＤＡＣ１９１又は１９２において、通常電圧であるＨｉ電圧１（Ｈｉ電源１）よりも高い任意の電圧（初期値）に設定されたＨｉ電圧２（Ｈｉ電源２）を生成する（電圧初期化ステップＳ２０１）。ここで、初期値となるＨｉ電圧２の電圧は、例えば通常電圧であるＨｉ電圧１よりも後述する単位電圧Ｖａだけ高い電圧値に設定する。そして、コントローラ１５０からのスイッチ制御信号により、スイッチ１６１又は１６２において、初期値に設定されたＨｉ電圧２をＨｉ電圧（Ｈｉ電源、内部Ｈｉ電源）として選択する。これにより、選択信号Ｓselの第２信号電圧Ｖsh2をＨｉ電圧２に基づく初期電圧に設定する。
【０１１３】
次いで、コントローラ１５０からの選択制御信号により、選択ドライバ機能部１２０Ａにおいて、書込動作期間Ｔwrt中に設定される第２信号電圧印加期間Ｔwh2の長さを「０」（初期値）に設定する（印加時間初期化ステップＳ２０２）。そして、この状態で、選択ドライバ機能部１２０Ａから選択ラインＬｓに選択信号Ｓselを印加する（選択信号印加ステップＳ２０３）。ここで、初期状態では、第２信号電圧印加期間Ｔwh2の時間はゼロに設定されるため（Ｔwh2＝０）、実質的に通常電圧である第１信号電圧のみが選択ラインＬｓに印加される。
【０１１４】
次いで、選択信号Ｓsel印加後の所定のタイミング（具体的には、書込動作期間Ｔwrt内の任意のタイミング）で、任意の選択ラインＬｓに接続された１列目とｍ列目の画素ＰＩＸの位置における選択ラインの、選択信号Ｓselが切り替わった直後のタイミング（第２信号電圧印加期間Ｔwh1の開始時点）での電圧値を、計測用配線Ｌms(1)及びＬms(m)、又は、計測用端子パッドＰms(1)及びＰms(m)を介して個別に計測する。計測されたアナログ電圧からなる電圧値は、ＡＤＣ１７１又は１７２によりデジタル信号に変換されて検出結果としてコントローラ１５０に出力される（電圧計測ステップＳ２０４）。
【０１１５】
次いで、コントローラ１５０は、ＡＤＣ１７１又は１７２を介して取得した、選択ライン電圧に対応するデジタル信号の大小関係を比較する（電圧比較ステップＳ２０５）。この電圧比較ステップＳ２０５において、計測された電圧の比較結果に差がある場合（電圧比較ステップＳ２０５：No）には、コントローラ１５０は、第２信号電圧印加期間Ｔwh2に一定の単位時間Ｔａを加算する（印加期間調整ステップＳ２０７）。すなわち、図２０に示した選択信号Ｓselの信号波形において、第２信号電圧印加期間Ｔwh2の長さ（時間）が可変設定される。
【０１１６】
次いで、単位時間Ｔａが加算された第２信号電圧印加期間Ｔwh2が書込動作期間Ｔwrtよりも短いか否かが判定される（印加期間判定ステップＳ２０８）。第２信号電圧印加期間Ｔwh2が書込動作期間Ｔwrtよりも短い場合（Ｔwh2＜Ｔwrt、印加期間判定ステップＳ２０８：Yes）には、コントローラ１５０は、単位時間Ｔａが加算された第２信号電圧印加期間Ｔwh2に対応するように信号幅が設定されたスイッチ制御信号を生成して、スイッチ１６１又は１６２に出力する。これにより、再び選択信号印加ステップＳ２０３に戻り、まず最初に、単位時間Ｔａが加算された時間幅を有する第２信号電圧印加期間Ｔwh2に第２信号電圧Ｖsh2が選択ラインＬｓに印加され、続いて、書込動作期間Ｔwrtの終了時点までの第１信号電圧印加期間Ｔwh1に第１信号電圧が選択ラインＬｓに印加される。以下、上述したステップＳ２０４以降の処理動作が実行される。
【０１１７】
一方、印加期間判定ステップＳ２０８において、第２信号電圧印加期間Ｔwh2が書込動作期間Ｔwrtと同一、又は、書込動作期間Ｔwrtよりも長い時間となった場合（印加期間判定ステップＳ２０８：No）には、コントローラ１５０は、Ｈｉ電圧２の電圧値に一定の単位電圧Ｖａを加算する（電圧値調整ステップＳ２０９）。すなわち、図２０に示した選択信号Ｓselの信号波形において、Ｈｉ電圧２の電圧値が可変設定される。そして、コントローラ１５０は、単位電圧Ｖａが加算されたＨｉ電圧２の電圧値に対応するようにデジタル値が設定されたＤＡＣ制御信号を生成して、ＤＡＣ１９１又は１９２に出力する。これにより、再び印加時間初期化ステップＳ２０２に戻り、第２信号電圧印加期間Ｔwh2の長さを「０」に設定した後、選択ドライバ機能部１２０Ａから選択ラインＬｓに選択信号Ｓselが印加される。以下、上述したステップＳ２０３以降の処理動作が実行される。
【０１１８】
このように、上述した一連の処理動作を繰り返し実行し、電圧比較ステップＳ２０５において、１列目の計測電圧とｍ列目の計測電圧とが第１信号電圧Ｖsh1に近似又は等しく、所定の許容範囲内の値であるとき（電圧比較ステップＳ２０５：Yes）の時間幅（信号幅）を、第２信号電圧印加期間Ｔwh2の長さとして決定し、このときのＨｉ電圧２の電圧値に対応するデジタル値とともにメモリに記憶する（印加期間・電圧決定ステップＳ２０６）。ここで、許容範囲は、第１信号電圧Ｖsh1の電圧値の９５％〜１１０％の値に設定される。
【０１１９】
これにより、書込動作期間Ｔwrtにおいて、コントローラ１５０からスイッチ１６１又は１６２に対して、上記メモリに記憶された信号幅のスイッチ制御信号を供給するとともに、ＤＡＣ１９１又は１９２に対して、メモリに記憶された電圧値に対応するデジタル値を含むＤＡＣ制御信号を供給することにより、図２０に示すように、最初に、所定の第２信号電圧印加期間Ｔwh2中、所定の電圧の第２信号電圧Ｖsh2が選択ラインＬｓに印加され、続いて、書込動作期間Ｔwrtの終了時点までの第１信号電圧印加期間Ｔwh1中、通常電圧である第１信号電圧が選択ラインＬｓに印加される。
【０１２０】
このように、本実施形態に係る表示装置の駆動制御方法によれば、書込動作期間に選択ラインに対して異なる電圧値の選択信号を順次印加し、かつ、最初に印加する選択信号の電圧値及び印加期間を調整する。これにより、本実施形態によれば、各行の選択ラインにおいて、選択ドライバ（選択・データ１チップドライバ）からの距離に関わりなく、各列の画素ＰＩＸに対して信号遅延の差がない選択信号を印加することができるので、表示データの書き込み不足に起因する輝度ムラや画面のちらつきの発生を抑制して、良好な画質を実現することができる。
【０１２１】
＜電子機器の適用例＞
次に、上述した各実施形態に係る表示装置及びその駆動制御方法を適用した電子機器について説明する。
【０１２２】
上述した第１乃至第３の実施形態に示したように、有機ＥＬ素子ＯＥＬからなる発光素子を各画素ＰＩＸに有する表示パネル１１０を備える表示装置１００は、薄型テレビジョンやモニター等の、大画面の表示デバイスを備える電子機器に適用することができる。
【０１２３】
図２１は、第１乃至第３の実施形態に係る表示装置（発光装置）を適用した薄型テレビジョンの構成例を示す斜視図である。
図２１において、薄型テレビジョン２００は、大別して、本体部２０１と、本実施形態の表示パネル１１０を備える表示装置１００からなる表示部２０２と、操作用コントローラ（リモコン）２０３と、を備えている。この場合、表示部２０２において、表示パネル１１０の各画素の発光素子が画像データに応じた適切な輝度階調で発光動作して、良好かつ均質な画質を実現することができる。
【符号の説明】
【０１２４】
１００      表示装置
１１０      表示パネル
１２０      選択ドライバ
１２０Ａ    選択ドライバ機能部
１３０      電源ドライバ
１４０      データドライバ
１５０      コントローラ
１６１、１６２    スイッチ
１７０      選択ライン電圧計測回路
１７１、１７２    ＡＤＣ
１８０      選択・データ１チップドライバ
１９１、１９２    ＤＡＣ
ＰＩＸ      画素
ＤＣ        発光駆動回路
ＯＥＬ      有機ＥＬ素子
【図１】
2011158864.tif 000003
【図２】
2011158864.tif 000004
【図３】
2011158864.tif 000005
【図４】
2011158864.tif 000006
【図５】
2011158864.tif 000007
【図６】
2011158864.tif 000008
【図７】
2011158864.tif 000009
【図８】
2011158864.tif 000010
【図９】
2011158864.tif 000011
【図１０】
2011158864.tif 000012
【図１１】
2011158864.tif 000013
【図１２】
2011158864.tif 000014
【図１３】
2011158864.tif 000015
【図１４】
2011158864.tif 000016
【図１５】
2011158864.tif 000017
【図１６】
2011158864.tif 000018
【図１７】
2011158864.tif 000019
【図１８】
2011158864.tif 000020
【図１９】
2011158864.tif 000021
【図２０】
2011158864.tif 000022
【図２１】
2011158864.tif 000023